(57)【要約】【課題】軽量且つ着脱が容易で外観上目立たないようにした、テントに溜まる雨水を自然に地面に導くための、テントの雨水排水具を提供する。【解決手段】テント本体の天幕部の雨水が集まる場所に排水用の孔を設け、そこに取り付けた天幕部排水口と延長用筒体を使用し、排水路を形成することで雨水を地面に導く。【選択図】図１
2018040182.tif 000002
【特許請求の範囲】
【請求項１】
組み立て式、折りたたみ式テント、タープテントの天幕または、日除け用の幕の雨水が集まる場所に排水用の孔を設け、その孔（排水口）部分の幕の内面に幕と一体化または、脱着式にした天幕部筒体に、脱着式の延長筒体を接続し、排水路を形成したことを特徴とする、雨水を地面に導くテントの雨水の排水具。
【請求項２】
テント本体の天幕の端の部分に排水用の孔を設け、その孔に雨水を誘導するためのパイプを斜めに取り付け、効率的に雨水を排水させることのできる骨組みの形状をした日除けテント。
【発明の詳細な説明】
【技術分野】
【０００１】
この発明は、テント等に雨水が溜まる事無く水を地面まで導く、テントの雨水排水具に関するものである。
【背景技術】
【０００２】
従来より、テント等は日よけ、雨よけなどを目的に使用されている。しかし雨水の排水がうまくできず、天幕部に溜まり、先端から溢れ出し近くにいる人の衣服を濡らす。また、多くの雨水が溜まると天幕が破れる虞もある。そのため、ある程度雨水が溜まる度に軒下近くの物と人を遠ざけて、テント内部（天幕内側）より棒などで天幕を押し上げ、雨水を流し落とすという方法でしか処理できず、その直後からすぐに雨水が溜まり、常に天幕にストレスが掛っている状態である。また、雨水が天幕の垂れ特定部分から滝のように流れ落ちてきて出入りがしにくい場合があった。
【先行技術文献】
【特許文献】
【０００３】
【特許文献１】特願平１０−２３４８４９
【特許文献２】実開平  ６−８７５７５
【特許文献３】実願平１０−００７３３５
【発明の概要】
【発明が解決しようとする課題】
【０００４】
すでに記載した特許文献に示す様な方法が開示されているが、これは次のような欠点があった。
イ  構成素材の重量が重いためテント各部にストレスがかかる。
ロ  排水経路形成に手間が掛る。
ハ  天幕の形状が変化して外観が損なわれる。
ニ  排水具が大きく、運搬、保管に手間がかかる。
本発明は、以上の欠点を解決するためになされたものである。
【課題を解決するための手段】
【０００５】
テント本体の天幕の雨水が集まる場所に排水用の孔を設け、天幕と一体化した天幕部筒体に、面ファスナーを用いて延長筒体を接続して排水路を形成する。天幕部筒体と延長筒体の素材は、天幕と同じ素材もしくは、合成樹脂シート、フィルム等の防水性のある材質とし、天幕部筒体から延長筒体は容易に取付け取り外しができるようにする。本発明は、以上の構成よりなるテントの雨水の排水具である。
【発明の効果】
【０００６】
本発明を使用することにより、排水構成具の重さを軽量化できることで天幕の張形状の影響を少なくできる。さらに晴天時の日除けの際は、延長筒体は取り外しているためテントの出入りに邪魔にならない。また、排水用の孔をスリット形状にすることにより、孔が目立つことがなく、外観を損なうことが無い。
【０００７】
排水具の取付け、取り外しが容易なため、運動会、催し場などでの不意の降雨時でも素早く対応でき雨水を自然に地面まで導くことができる。雨水を導くための延長用の筒体は軽量でかさばらないため持ち運びが楽である。
【０００８】
雨水の排水がうまくできる事により、天幕の垂れ部より落ちてくる雨水が大幅に減少し、テントへの出入りが楽である。
【図面の簡単な説明】
【０００９】
【図１】本発明の斜視図
【図２】延長筒体を取り付けた斜視図
【図３】本発明のテントへの取り付け図
【図４】本発明のテントでの使用状態を示す横視図
【図５】排水用パイプの斜視図
【図６】排水用パイプを取り付けた状態の図
【図７】追加パイプを取り付けた状態の図（実施例１）
【図８】追加パイプを取り付けた状態の図（実施例２）
【図９】段差を付けた天幕を使用した状態の図
【図１０】天幕の段差の横図
【図１１】天幕の内面の図
【図１２】脱着式天幕筒体の斜視図
【図１３】オーニングシェードに本発明の排水具を取り付けた図
【図１４】フライシートに本発明の排水具を取り付けた図
【発明を実施するための形態】
【００１０】
本発明の実施形態を図面を参照して説明する。また、以下折りたたみ式のテントとタープテントはよく似た形状であり、タープテントは折りたたみテントに含んで説明する。
【００１１】
図３に示すように天幕の雨水の集まる部分に排水用の孔を設け、その孔の天幕の内側に天幕部筒体（２）を取り付ける。その天幕部の筒体に延長筒体（３）を繋げ排水経路を形成する。排水経路を構成する手段として天幕部筒体と延長筒体とを接続するが、その方法として面ファスナーを用いる。また、同等の軽量素材であれば、他のスナップやファスナー、クリップなどの接続具を用いてもよく、同等の効果が得られる。
【００１２】
テントの大きさに対応するために、延長筒体の長さは任意の長さとして、排水経路の長さに応じ、延長筒体を複数接続可能とする。雨水の排水先を変更、また、テントに吊るしたり、柱等に固定するために、延長筒体には複数の紐または、固定用バンドなどの固定具を取り付けてもよい。
【００１３】
排水用の孔の形状は外からの見た目を考慮したスリット形状を基本とするが、テントの大きさ、形状により排水口率のよい形状にする場合もある。
【００１４】
図３に示すように雨水はテント下部の真ん中に集まるが、真ん中では延長筒体が邪魔になってしまう。そのような場合は図５に示すような形状をした排水用パイプを組立テントの骨組みの桁の部分に取り付けることにより、延長筒体を柱ずたいに取り付けることができる。図６は折りたたみ式テントに本発明排水具と排水用パイプとを取り付けた図である。この場合排水パイプはトラスバーに取り付ける。
【００１５】
図７図８に示すように組み立て式テントの骨組に、斜めに骨組みと同じパイプを追加する事により雨水をスムーズに誘導でき、排水口を端にすることができるため、延長筒体が邪魔にならず、排水効率もよい。また、このパイプは既存のテントにも簡単な改造で取り付けることが可能である。
【００１６】
天幕の雨水を誘導する別の方法として、図９に示す位置に天幕を何重か折り曲げ、段差を付けて製作することにより雨水を誘導し、効率よく排水させられる。段差が小さく、雨水が効率よく集まらない場合は、図１０に示すように軟性の芯を入れるなどの方法を用い、段差を高くして効率よく雨水を集め排水させてやる。
【００１７】
図１１に示すように天幕に排水用の孔を開け、その周囲の内面に面ファスナーを取り付ける。図１２に示すような天幕部筒体を別に製作し、これに面ファスナーを取り付け、天幕部筒体を脱着式にすることもできる。図１２は面ファスナーによる取り付け図であるが、スナップなどの取り付け具でもよい。雨が降ってないときは、天幕部筒体取り付け部に蓋を付けておけば、排水用の孔が外から見ても目立たず、その部分から破れることもない。また、脱着式ではなく、天幕と筒体を縫い付けて製作することもでき、この方が強度がある。これらの方法を使用することにより、新しく排水具付きテントを購入することなく既存のテントに本発明を取り付けることができる。
【００１８】
天幕部筒体、延長筒体は、天幕と同じ材料で製作が可能なため、新たな材料、特別な製作工程を必要としないため、コストを抑えることができる。
【００１９】
図１３はオーニングシェードタイプの日除け幕に本発明の排水具を取付けることにより、簡単に排水できるようにした図である。
【００２０】
図１４はフライシートに本発明の排水具を取り付けた図である。
【符号の説明】
【００２１】
１    排水口
２    天幕部筒体
３    延長筒体
４    面ファスナー
５    天幕
６    雨水
７    排水パイプ
８    追加パイプ
９    段差
１０  軟性の芯  
【図１】
2018040182.tif 000003
【図２】
2018040182.tif 000004
【図３】
2018040182.tif 000005
【図４】
2018040182.tif 000006
【図５】
2018040182.tif 000007
【図６】
2018040182.tif 000008
【図７】
2018040182.tif 000009
【図８】
2018040182.tif 000010
【図９】
2018040182.tif 000011
【図１０】
2018040182.tif 000012
【図１１】
2018040182.tif 000013
【図１２】
2018040182.tif 000014
【図１３】
2018040182.tif 000015
【図１４】
2018040182.tif 000016
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
組み立て式、折りたたみ式テント、タープテントの天幕または、日除け用の幕の雨水が集まる場所に排水用のスリット形状の孔を設け、天幕と同じ、又は合成樹脂シート、フィルム等の材質で製造された天幕部筒体、延長用筒体を使用し、排水路を形成する雨水の排水具。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
天幕により、骨組みの上部のみを覆う組み立て式又は折りたたみ式テント、タープテントの天幕または、日除け用の幕の雨水が集まる場所に排水用のスリット形状の孔を設け、天幕部筒体および延長用筒体を使用し、排水路を形成する雨水の排水具。
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
天幕により、骨組みの上部のみを覆う組み立て式又は折りたたみ式テントの、傾斜屋根の隅部の、雨水が集まる場所に排水用のスリット形状の孔を設け、天幕部筒体および延長用筒体を使用し、排水路を形成する雨水の排水具。